(57)【要約】【課題】本発明の課題は、アダプタの接線とコンピュータ側のコネクタに嵌合不良が発生した際、それが単なる接線とコネクタの嵌合不良である事が容易に確認できないことにある。【解決手段】本発明によれば、PCIアダプタ１の接線４の両端のGNDピンとLED２、３のカソードを接続し、本PCIアダプタ１をコンピュータへ搭載する際のコンピュータ側コネクタとPCIアダプタ１の接線４の嵌合不良をLED２、３によりブラケット５の外側から容易に確認することができる。【選択図】図１
2009175816.tif 000002
【特許請求の範囲】
【請求項１】
コンピュータへ搭載されるアダプタであって、コンピュータとの接点が接線状になっており、前記アダプタの接線の両端のピンがコンピュータへ接続した事を確認するためのLEDを具備し、前記アダプタの接線が傾いてコンピュータへ挿入された時、該LEDにより容易に確認出来る事を特徴とするアダプタ嵌合確認方式。
【請求項２】
アダプタの動作状態を確認するためのインジケータとコンピュータへ接続した事を確認するためのLEDを共用することを特徴とする請求項１のアダプタ嵌合方式。
【発明の詳細な説明】
【技術分野】
【０００１】
本発明は、コンピュータへ搭載するアダプタの接線とコンピュータ側コネクタの確実な嵌合を物理的に確認する手法である。
【背景技術】
【０００２】
PCIに代表される、接線をもつアダプタをコンピュータへ搭載する場合、挿抜時に接線のピン数に比例して大きな力を必要とし、PCI64bit用アダプタの様に接線部が多いアダプタでは、アダプタが斜めに傾いたままコンピュータへ取り付けられ、稀に作業者が気づかず電源を投入してしまい、ブート中にアダプタがエラーとなり、本来ならば正常に動作するはずのアダプタが障害アダプタとして交換されてしまうという問題があった。
【０００３】
【非特許文献１】PCI Local Bus Specification
【発明の開示】
【発明が解決しようとする課題】
【０００４】
PCIアドインカードのようなアダプタは、コンピュータの筺体後面に配置される事が多く、またコンピュータがラックマウントの筺体に収納されている場合、アダプタの接線とコンピュータ側のコネクタの接合部を目視確認するのは困難であり、アダプタの接線とコンピュータ側のコネクタに嵌合不良が発生した際、それが単なる接線とコネクタの嵌合不良である事が容易に確認できないことが第１の課題である。
【０００５】
前記課題が原因で本来正常であるアダプタを故障として扱いアダプタを交換するなどして、不当にシステム全体の立ち上げ時間を延長させるという第２の課題も発生する。
【課題を解決するための手段】
【０００６】
本発明の第１の側面は、コンピュータへアダプタを搭載した時にアダプタの接線とコンピュータ側のコネクタの嵌合不良が発生した場合アダプタの障害原因が、接線とコネクタの嵌合不良である事を示す専用のLEDを設け接線と接続する事により、簡素な回路と最小の部品点数により接線が確実に勘合した事を容易に識別できるアダプタ嵌合確認方式である。
【０００７】
本発明の第２の側面は、アダプタがプロセッサとLEDをあらかじめ備え、アダプタ上に部品を追加するスペースが無い場合、接線とアダプタ上のプロセッサに嵌合を識別させるインタフェースを儲け、接線が確実に嵌合した事をアダプタ上のプロセッサがLEDにより外部へ直接表示させる事を最も省スペースで実現できるアダプタ嵌合確認方式である。
【発明の効果】
【０００８】
本発明のアダプタ嵌合確認方式は、インジケータにより外部へ直接嵌合不良である事を表示するため、アダプタを故障と判断する前に、単なるコネクタと接線の嵌合不良である事を容易に確認できるため前記第1の課題を解決する。また、第1の課題を解決する事により第２の課題も解決する。
【発明を実施するための最良の形態】
【０００９】
ハウジング外より簡単にアダプタの接線とコンピュータのコネクタの嵌合不良を確認できるという目的を、最小の部品点数で、実現した。
【実施例１】
【００１０】
図１は、本発明装置の１実施例の全体図であって、１は、PCIアダプタ、２、３は、LED、４は、接線部、５は、ブラケットであり、LEDは、それぞれブラケット５の外側より確認できる構造になっている。図２は、図１の接線４の詳細な図面であり、LED２のカソードは、接線４のGNDピンB３へ接続されており、LED２のアノードは抵抗R２を介して、PCIアダプタ１内のVCCへ接続されている。LED３のカソードは、接線４のGNDピンB９４へ接続されており、LED３のアノードは、抵抗R３を介して、PCIアダプタ１内のVCCへ接続されている。PCIアダプタ１のGNDピンB３およびB９４は、PCIアダプタ１内の他のGNDピンとの接続は無くそれぞれ独立している。
【００１１】
図１のPCIアダプタ１は、接線４により搭載されるコンピュータのコネクタと接続され、図１に示すとおり接線４の両端のGNDピンがコンピュータ側のコネクタのGNDと接続されれば図２に示すとおり、接線４のピン番B３およびB９４のGNDピンへLED２、３のカソードを接続し、LEDのアノード側を抵抗R２、R３を解し、PCIアダプタ１のVccへ接続することにより、PCIアダプタ１の接線４がコンピュータ側のコネクタと正しく嵌合した場合LED２、LED３が点灯し、PCIアダプタの接線４がコンピュータ側のコネクタへ正しく嵌合された事をブラケット５の外側から容易に確認できる。
【００１２】
PCIアダプタ１がコンピュータ側のコネクタへ傾けて挿入された場合、接線４の前後どちらか一方がコンピュータ側コネクタより浮き上がり、例えばPCIアダプタ１の接線４のB９４がGND接続されなかった場合、LED２は点灯し、LED３が点灯しないため、容易にPCIアダプタ１の接線嵌合不良が確認できる。
【実施例２】
【００１３】
図３は、PCIアダプタの１例であるホストバスアダプタ（以下HBA）である。６は、HBA、７は、プロセッサ、８，９は、LED、１０は、プロセッサ７のシステムクロック、１１は、フラッシュメモリ、１２は、接線、１３は、PCIブラケット、１４は、光モジュールである。HBA６は、コンピュータへ搭載され電源を入れられると、HBA６上のメインクロック１０が発振を始め、プロセッサ７へ給電される。プロセッサ７は、クロック同期化回路（以下PLL）の安定を示す信号の発行をもって、フラッシュメモリ１１よりファームウェアのロードを行い、Power On Self Test(以下POST)を実行する。POSTが正常に終了したかどうかをLED８、９により点滅表示する。図４は、請求項２を説明するための図３に示すPCIアダプタの電源立ち上げ時のシーケンスである。請求項２の発明は、図３のPCIアダプタの接線１２のピン番B３とB９４のGNDピンをプロセッサ７へ接続することにより、HBA６がコンピュータのコネクタへ傾けて挿入された場合、接線１２の前後どちらか一方がコンピュータ側コネクタより浮き上がり、プロセッサ７が接線１２の嵌合不良を検知し、LED８、９を点滅させることにより、容易にHBA６の接線嵌合不良が確認できる。本方式では、接線とコネクタの嵌合不良を表示するための専用のLEDを別途設ける必要もなく、最小限の構成で、実現できる。
【産業上の利用可能性】
【００１４】
PCIアダプタ等に利用する事により、システム立ち上げ時ブート中に障害が発生してもハードの故障なのか、コンピュータとアダプタの嵌合不良なのかを的確に切り分ける事ができ、システム立ち上げ作業時間を短縮できる。
【図面の簡単な説明】
【００１５】
【図１】PCIアダプタ嵌合確認方式の実施方法を示した説明図である（実施例１）。
【図２】PCIアダプタ嵌合確認方式の詳細な回路図を示した説明図である。
【図３】PCIアダプタ嵌合確認方式の実施方法を示した説明図である（実施例２）。
【図４】請求項２の手順を説明したフローチャートである。
【符号の説明】
【００１６】
１…PCIアダプタ、２…LED、３…LED、４…接線、５…ブラケット、６…ホストバスアダプタ、７…プロセッサ、８…LED、９…LED、１０…メインクロック、１１…フラッシュメモリ、１２…接線、１３…PCIブラケット、１４…光モジュール。
【図１】
2009175816.tif 000003
【図２】
2009175816.tif 000004
【図３】
2009175816.tif 000005
【図４】
2009175816.tif 000006